(57)【要約】【課題】複数の支持材１０をそれぞれ同一高さをもって仮設足場２の支柱３に正確に取り付ける。【解決手段】板材１３を複数の支持材１０で挟持し、複数の支持材１０の同一側のそれぞれの一端を仮設足場２の支柱３に接続するとともに、複数の支持材１０と支柱３とをそれぞれ連結材８で連結してなるアサガオ装置１において、支持材１０の上記一端と、連結材８が支柱と連結する部分とには、仮設足場１の支柱３の上下方向に回動自在である支持材接続部７と、連結材接続部１７とがそれぞれ着脱自在に設けてあり、支持材接続部７と連結材接続部１７とは、仮設足場２の支柱３に設けられた緊結部２８を跨いで支柱３に接続することを特徴としている。【選択図】図１
2004092158.tif 000002
【特許請求の範囲】
【請求項１】
板材を複数の支持材で挟持し、該複数の支持材の同一側のそれぞれの一端を仮設足場の支柱に接続するとともに、上記複数の支持材と上記支柱とをそれぞれ連結材で連結してなるアサガオ装置において、
支持材の上記一端と、連結材が支柱と連結する部分とには、上記仮設足場の支柱の上下方向に回動自在である支持材接続部と、連結材接続部とがそれぞれ着脱自在に設けてあり、
上記支持材接続部と連結材接続部とは、上記仮設足場の支柱に設けられた緊結部を跨いで支柱に接続することを特徴とするアサガオ装置。
【請求項２】
上記支持材は、支持材の先端に設けられた第１の連結部と、支持材の先端以外の部分に設けられた第２の連結部とを備えており、上記連結材を上記第１の連結部、または上記第２の連結部に連結したことを特徴とする請求項１に記載のアサガオ装置。
【請求項３】
上記支持材接続部には水平方向に所定角度を隔てて複数の支持材を接続する複数の支持材連結部を設けるとともに、連結材接続部には水平方向に所定角度を隔てて複数の連結材を接続する複数の連結材連結部を設け、複数の支持材連結部には複数の支持材を、複数の連結材連結部には複数の連結材をそれぞれ取り付けたこと特徴とする請求項１または請求項２に記載のアサガオ装置。
【発明の詳細な説明】
【０００１】
【発明の属する技術分野】
本発明は、仮設足場の外周に張り出して設置され、仮設足場の外周側に落下する作業者や資材を受け止めるアサガオ装置に関する。
【０００２】
【従来の技術】
従来から、仮設足場には、所定の高さの外周にアサガオ装置が設置されており、仮設足場の外周側から転落した作業者や資材がアサガオ装置に受け止められて、直接地面に落下することが防止されている。アサガオ装置は、仮設足場を構成する外側に立設された支柱に、該支柱の斜め上方に向かって支持材を取り付け、この支持材の間に、転落した作業者等を受け止めるための板材を挟み込んで構成される。
【０００３】
アサガオ装置は、支持材をその上方から連結材で吊り下げる「上部吊り下げ型」と、下方から連結材で支持する「下部支持型」とに分類することができ、これらは、仮設足場が設置される場所に応じて使い分けられる。アサガオ装置は、仮設足場の支柱に対する連結材の取り付け位置（角度）を変更することで、支持材で挟持された板材の角度を変更することができる。
【０００４】
【発明が解決しようとする課題】
従来のアサガオ装置では、複数の支持材を支柱に同一高さで正確に取り付ける作業が煩雑であるという問題点があった。
【０００５】
また、従来のアサガオ装置は、仮設足場の手摺を取り付けるために支柱に設けられた緊結部によって、支持材、及び連結材の取り付け位置が規制されるため、支持材で挟持された板材の角度を設置場所に応じて任意の角度に変更することができないという問題点があった。
【０００６】
さらに、従来のアサガオ装置では、「上部吊り下げ型」と「下部支持型」とは、異なる支持材で構成されているため、仮設足場にアサガオ装置を設置する場合、事前に「上部吊り下げ型」または「下部支持型」のどちらか一方のアサガオ装置を選択しておく必要がある。すなわち、選択されなかったアサガオ装置を取り付ける必要が生じた場合等においては、新たに選択されたアサガオ装置の支持材を工事現場に搬入する必要があるため、支持材を搬入する為の経費が発生するとともに、工事期間の遅延を招くという問題点があった。
【０００７】
さらにまた、従来のアサガオ装置は、仮設足場の外周の角部分においては、扇形の板材を支持材で挟持して構成されるが、支持材同士の水平方向の角度を、扇形の板材が挟み込まれる角度に調節する作業が必要であり、取り付け作業が煩雑であるという問題点があった。
【０００８】
【課題を解決するための手段】
そこで本発明は上記問題点を解決するためになされたもので、請求項１に記載の発明では、板材を複数の支持材で挟持し、該複数の支持材の同一側のそれぞれの一端を仮設足場の支柱に接続するとともに、上記複数の支持材と上記支柱とをそれぞれ連結材で連結してなるアサガオ装置において、支持材の上記一端と、連結材が支柱と連結する部分とには、上記仮設足場の支柱の上下方向に回動自在である支持材接続部と、連結材接続部とがそれぞれ着脱自在に設けてあり、上記支持材接続部と連結材接続部とは、上記仮設足場の支柱に設けられた緊結部を跨いで支柱に接続することを特徴としている。
【０００９】
また、請求項２に記載の発明では、請求項１に記載のアサガオ装置の上記支持材は、支持材の先端に設けられた第１の連結部と、支持材の先端以外の部分に設けられた第２の連結部とを備えており、上記連結材を上記第１の連結部、または上記第２の連結部に連結したことを特徴としている。
【００１０】
請求項３に記載の発明では、請求項１または請求項２に記載のアサガオ装置における上記支持材接続部には水平方向に所定角度を隔てて複数の支持材を接続する複数の支持材連結部を設けるとともに、連結材接続部には水平方向に所定角度を隔てて複数の連結材を接続する複数の連結材連結部を設け、複数の支持材連結部には複数の支持材を、複数の連結材連結部には複数の連結材をそれぞれ取り付けたこと特徴としている。
【００１１】
【発明の実施の形態】
以下、本発明の実施の形態について説明する。
図１は、本発明に係るアサガオ装置１を「上部吊り下げ型」として使用した状態を示している。このアサガオ装置１は、仮設足場２を構成する支柱の中で、最も外側に配置される支柱３の外方に張り出すようにして取り付けられる。アサガオ装置１は、複数の支柱３を直線上に配置して構成される仮設足場２の直線部分に取り付けられる複数の直線部分４と、仮設足場２の角部分に取り付けられる複数の角部分５とから構成されている。
【００１２】
アサガオ装置１の直線部分４は落下防止パネル６から構成されている。落下防止パネル６は、両側後端部分（後述する支持材１０の後端部）に取り付けられた支持材接続部７、７を、支柱３、３にそれぞれ取り付けるとともに、先端部分（後述する支持材１０の第１の連結部１５）を、上記支持材接続部７、７の上方で支柱３に取り付けられた連結材８、８に接続して吊り下げて構成される。
【００１３】
落下防止パネル６は、図２に示すように、一対の支持材１０、１０の両端部をそれぞれ梁材１１、１１で連結するとともに中間部にブレース１２、１２を取り付け、梁材１１、１１の対向面に形成された溝に複数の板材１３を嵌め合わせ、該板材１３を支持材１０、１０で挟持して構成されている。なお、隣り合う落下防止パネル６において、両者の間に位置する支持材接続部７は兼用される。
【００１４】
上記支持材１０の先端上部と先端近傍下部には、連結材８を接続するための第１の連結部１５と第２の連結部１６がそれぞれ設けてある。第１の連結部１５は、アサガオ装置１を上部吊り下げ型として使用する場合に使用し、第２の連結部１６はアサガオ装置１を下部支持型として使用する場合に使用される。連結材８の後端部には連結材接続部１７が取り付けてあり、この連結材接続部１７を介して連結材８は支柱３に取り付けられるようになっている。
【００１５】
落下防止パネル６は、支柱３と平行な起立した状態（折り畳まれた状態）で組み立てられた後、第１の連結部１５に結び付けられたロープ１８を弛ませることで支柱３の外方に開き、支柱３に取り付けられた連結材接続部１７に連結材８を接続して組み立てが完了する（図３、及び図４参照）。
【００１６】
次に、本発明の特徴部分である支持材接続部７と連結材接続部１７について説明する。図５及び図６に示されるように、支持材接続部７は、プレート（支持材連結部）２０の一端側の上部にクランプ２１を備えるとともに、下部に当接部２２を備えている。なお、支柱３に接続される接続手段は、上記クランプ２１に限定されるものではなく、例えば、後述する図８において図示された当接板３５と取り付けプレート３６とであってもよい。
【００１７】
プレート２０の他端側は下部が斜めに切除されており、上部に向かうにしたがって幅が広くなるように設けてある。該幅が広い部分２３は、隣り合う支持材１０、１０の端部にそれぞれ設けられた挟持片２４、２４で挟持され、ボルト２５で固定される。上記部分２３には、ボルト２５を挿通するためのボルト孔２６が３ヶ所設けてあり、選択されたボルト孔２６に支持材１０の挟持片２４を接続することで、支持材１０の取り付け角度の微調整が行える。上記当接部２２は短冊形状の金属板を直角に折り曲げ、直交する板材部分が水平方向に拡開するようにプレート２０に溶接されており、上記板材部分が支柱３に当接するようになっている。なお、当接部２２は、上記クランプ２１、若しくは後述する当接板３５と取り付けプレート３６とからなるような接続手段で接続するようにしてもよい。
【００１８】
上記クランプ２１と当接部２２との間のプレート部分は縦長の矩形形状に切除されて緊結部収容空間２７が形成されており、支持材接続部７を支柱３に接続した状態で、支柱３に設けられた緊結部２８が上記緊結部収容空間２７に収容される。緊結部２８は支柱３の外周に四ヶ所設けられており、対向するもの同士が同一高さに、隣り合うもの同士が緊結部２８の高さ分だけ低い位置、若しくは高い位置に設けてある。上記のように、緊結部収容空間２７に緊結部２８を収容した状態で、該緊結部２８と隣り合う緊結部２８をクランプ２１の下端部に当接させることで、該緊結部２８は支持材１０を支柱３に連結するための位置決めとして使用することができる。
【００１９】
また、支持材接続部７を支柱３に接続した状態で、クランプ２１と当接部２２とが緊結部２８を跨いで、すなわち緊結部２８の上下に当接して支柱３に接続されるため、落下物等によって、支持材１０を下方に押し下げる力が加わると、この力はクランプ２１を引っ張る方向の力と当接部２２を支柱３に押し付ける力とに分散するので、支持材接続部７が支柱３から容易に外れることが無い。
【００２０】
このように、支持材接続部７は緊結部２８を跨いで支柱３に接続することができるので、支持材１０は緊結部２８の位置に規制されることなく支柱３の任意の位置に、すなわち任意の角度をもって支柱３に接続することができる。
【００２１】
上記緊結部収容空間２７は、高さ１４．５ｃｍ、横４ｃｍ、幅０．５ｃｍであるため、高さ４ｃｍ、横３．３ｃｍ、幅１．７ｃｍの緊結部２８を収容することができるばかりでなく、例えば、市場に流通する他の仮設足場の支柱に設けられた高さ４ｃｍ、横３．３ｃｍ、幅３．５ｃｍの緊結部も収容することができる。このように、本発明に係るアサガオ装置１には汎用性がある。
【００２２】
連結材接続部１７は、プレートの形状を除き、支持材接続部７と同一構成であり、同一の機能を備えているため詳細な説明を省略する。連結材接続部１７のプレートは、支持材接続部７のプレート２０を上下反転した形状、すなわち、ボルト孔２６が形成された幅が広い部分２３が下側に位置する形状からなっている。これにより、上記支柱連結部７と同様、連結材８をを下方に押し下げる力はクランプ２１と当接部２２とに分散するので、連結材８が支柱３から容易に外れることが無い。
【００２３】
次にアサガオ装置１の角部分５について図７を参照して説明する。角部分５は、直線部分４における落下防止パネル６と同様に、角部分落下防止パネル３０の後端部分に取り付けられた三方支持材接続部３１を支柱３に取り付けるとともに、先端部分を、上記三方支持材接続部３１の上方で、支柱３に取り付けられた連結材８に接続して吊り下げられる。
【００２４】
角部分落下防止パネル３０は、２枚の三角形のパネル３２、３２から構成されており、これらパネル３２は隣り合う辺が支持材４０によって連結されている。支持材４０は、支持材１０と同様に第１の連結部１５と第２の連結部１６とを備えるとともに、三方支持材接続部３１の中央に設けられたプレート２０に単独で接続するための一対の挟持片４１を備えている。また、上記隣り合う辺と対向するパネル３２、３２のそれぞれの辺は、直線部分４の落下防止パネル６の支持材１０に取り付けられて挟持されている。上記支持材４０と上記落下防止パネル６の支持材１０とは、それぞれがブレース１２で接続されている。上記三角形のパネル３２は複数の板材３３を組合わせて構成されている。
【００２５】
ここで、図８を使用して三方支持材接続部３１について説明する。三方支持材接続部３１は、上記支持材接続部７が備えるプレート２０を３枚備えている。両側の２枚のプレート２０は互いに９０度隔てて設けてあり、中央のプレート２０は両側のプレート２０からそれぞれ４５度隔てて配置されている。また、三方支持材接続部３１は、支持材接続部７が備えるクランプ２１に代えて、当接板３５と、該当接板３５に当接する支柱３に固定されるための取り付けプレート３６とを備えている。なお、三方支持材接続部３１は、支持材接続部７と同様にクランプ２１を備えるようにしてもよい。
【００２６】
このように、三方支持材接続部３１は等間隔に配置された３枚のプレート２０を備えていることから、これらプレート２０に接続される支持材４０と支持材１０とを等間隔に接続することができる。したがって、支持材４０と支持材１０同士の水平方向の角度を調節する必要が無いので、角部分５の取り付け作業が効率良く行える。
【００２７】
角部分落下防止パネル３０を吊り下げる連結材８と支柱３とは三方連結材接続部３５によって接続されている。三方連結材接続部３５は上記三方支持材接続部３１が備える３枚のプレート２０に代えて、連結材接続部１７が備える３枚のプレート（プレート２０を上下反転した形状からなるプレート）を備えている。三方支持材接続部３１と同じく等間隔に設けてあるため、連結材８の接続が容易に行える。
【００２８】
上記三方支持材接続部３１と三方連結材接続部３５とは、上記支持材接続部７と連結材接続部１７と同様に、緊結部収容空間２７を備えていることから、支柱３に設けられた緊結部２８の位置に規制されることなく、支柱３の任意の位置に、すなわち支持材１０を任意の角度をもって支柱３に接続することができ、また、緊結部２８を位置決めとして使用することができる。
【００２９】
次に、本発明に係るアサガオ装置１を「下部支持型」として使用した場合について説明する。図９に示されるように、「下部支持型」として使用されるアサガオ装置５０は、支持材１０と支持材４０との第２の連結部１６に連結材５１をそれぞれ接続することで、直線部分４と角部分５とが下側から支持される。
【００３０】
連結材５１は図１０に示されるように、伸縮可能な二重パイプが用いられており、直線部分４を折り畳んだ状態で所定の長さに伸びるため、連結材５１を支柱３に接続しておくことができる。連結材５１は、図１１に示すように、直線部分４を開くことによって所定長さに縮む。なお、連結材５１は、上記連結材８を使用しても良く、この場合、直線部分４を開いた後、連結材８を支柱３に接続する。
【００３１】
上記連結材５１には、支持材連結部７が取り付けられており、連結材５１は支持材連結部７を介して支柱３に接続される。なお、支持材連結部７に代えて連結材接続部１７を使用しても良い。
【００３２】
アサガオ装置５０の角部分５を下方から支持する連結材５１は、上記三方支持材接続部３１によって支柱３に取り付けられるが、上記三方連結材接続部３５を使用してもよい。
【００３３】
【発明の効果】
以上の説明から明らかなように、請求項１に記載の発明では、支持材接続部と連結材接続部とが、仮設足場の支柱に設けられた緊結部を跨いで支柱に当接することから、支持材と連結材と緊結部の位置に規制されることなく支柱に取り付けることができる。これより、支持材で挟持された板材の角度を任意の角度に変更することができる。また、緊結部の位置を位置決めの目印として、連結材接続部を支柱に取り付けることができるので、複数の連結材をそれぞれ同一高さをもって支柱に正確に取り付ける作業が容易に行える。
【００３４】
また、請求項２に記載の発明では、支持材の先端に設けられた第１の連結部に、支持材の上方に位置する連結材を接続することで、アサガオ装置を「上部吊り下げ型」として使用することができる。また、支持材の下方に位置する連結材を第２の連結部に接続することで、「下部支持型」として使用することができる。このように、請求項２に記載の発明では、支持材が「上部吊り下げ型」及び「下部支持型」の両方のアサガオ装置を構成することができるので、仮設足場にアサガオ装置を設置する際において、「上部吊り下げ型」または「下部支持型」を任意に選択することができ、当該選択に伴って、新たに支持材を搬入する必要がないので、新たに経費が発生することがなく、工事期間の遅延も生じない。
【００３５】
さらに、請求項３に記載の発明では、複数の支持材と連結材とは、それぞれが水平方向に所定の角度を隔てて支柱に取り付けることができるので、仮設足場の外周の角部分に設置した場合において、支持材同士の水平方向の角度を調節する必要が無く、取り付け作業が効率良く行える。
【図面の簡単な説明】
【図１】上部吊り下げ型として使用した本発明に係るアサガオ装置の斜視図である。
【図２】上部吊り下げ型として使用した本発明に係るアサガオ装置の組み立て手順を示す斜視図である。
【図３】上部吊り下げ型として使用した本発明に係るアサガオ装置の組み立て手順を示す斜視図である。
【図４】上部吊り下げ型として使用した本発明に係るアサガオ装置の直線部分の斜視図である。
【図５】支持材接続部の斜視図である。
【図６】支持材接続部の側面図である。
【図７】上部吊り下げ型として使用した本発明に係るアサガオ装置の角部分の組み立て手順を示す斜視図である。
【図８】三方支持材接続部の斜視図である。
【図９】下部支持型として使用した本発明に係るアサガオ装置の斜視図である。
【図１０】下部支持型として使用した本発明に係るアサガオ装置の組み立て手順を示す斜視図である。
【図１１】下部支持型として使用した本発明に係るアサガオ装置の直線部分の斜視図である。
【符号の説明】
１…アサガオ装置、２…仮設足場、３…支柱、４…直線部分、５…角部分、７…支持材接続部、８…連結材、１０…支持材、１７…連結材接続部。
【図１】
2004092158.tif 000003
【図２】
2004092158.tif 000004
【図３】
2004092158.tif 000005
【図４】
2004092158.tif 000006
【図５】
2004092158.tif 000007
【図６】
2004092158.tif 000008
【図７】
2004092158.tif 000009
【図８】
2004092158.tif 000010
【図９】
2004092158.tif 000011
【図１０】
2004092158.tif 000012
【図１１】
2004092158.tif 000013